(57)【要約】  ガスタービンエンジン用のインピンジメント冷却システムは、中央に配置された開口（１２）を備える初期インピンジメント面（１０）を有している。複数のチャネル（１４）および複数のサブチャネル（２２）が、開口（１２）から半径方向外方へ延びており、かつ隣接する各チャネル（１４）およびサブチャネル（２２）をそれぞれ分離している複数のフィクスチャ（１６）および複数のサブフィクスチャ（２４）によって形成されている。複数のフィクスチャ（１６）および複数のサブフィクスチャ（２４）はそれぞれ、初期インピンジメント面（１０）に対して平行な平面において、丸みを帯びた上流端部（１８）を有している。複数のフィクスチャ（１６）および複数のサブフィクスチャ（２４）はそれぞれ、初期インピンジメント面（１０）に対して垂直な軸線に沿って、フィクスチャ（１６）およびサブフィクスチャ（２４）の中間部分（５４，５６）に沿って凹面形状を有している。複数のチャネル（１４）は、サブフィクスチャ（２４）の上流端部（２６）においてチャネルに形成されたよどみ点（３４）から各チャネル（１４）の入口の半径方向外方へ延びる複数のサブチャネル（２２）に分割されている。
2019529767.tif 000002
【特許請求の範囲】
【請求項１】
ガスタービンエンジン用のインピンジメント冷却システムであって、
中央に配置された開口（１２）を備える初期インピンジメント面（１０）と、
前記開口（１２）から半径方向外方へ延び、かつ隣接する各チャネル（１４）をそれぞれが分離する複数のフィクスチャ（１６）によって形成された複数のチャネル（１４）と、を備え、
前記複数のフィクスチャ（１６）はそれぞれ、前記中央に配置された開口（１２）のエッジ（３２）に沿って配置された前記初期インピンジメント面（１０）に対して平行な平面における丸みを帯びた上流端部（１８）と、前記初期インピンジメント面（１０）のエッジ（３０）に沿って配置された前記初期インピンジメント面（１０）に対して平行な平面における丸みを帯びた下流端部（２０）とを有し、
前記複数のフィクスチャ（１６）はそれぞれ、前記初期インピンジメント面（１０）に接続されたベース部分（４４）と、反対側におけるトップ部分（４６）との間の中間部分（５４）を有し、
前記複数のフィクスチャ（１６）はそれぞれ、前記初期インピンジメント面に対して垂直な平面に沿って前記フィクスチャ（１６）の前記中間部分（５４）に沿った凹面形状を有し、
前記複数のチャネル（１４）は、サブフィクスチャ（２４）の上流端部（２６）において前記チャネル（１４）に形成されたよどみ点（３４）から各チャネル（１４）の入口の半径方向外方へ延びる複数のサブチャネル（２２）に分割されており、
複数の前記サブフィクスチャ（２４）はそれぞれ、丸みを帯びた上流端部（２６）と、前記初期インピンジメント面（１０）の前記エッジ（３０）に沿って配置された略平坦な下流端部（２８）とを有し、
前記複数のサブフィクスチャ（２４）はそれぞれ、前記初期インピンジメント面（１０）に接続されたベース部分（５８）と、反対側におけるトップ部分（６０）との間の中間部分（５６）を有し、
前記複数のサブフィクスチャ（２４）はそれぞれ、前記初期インピンジメント面（１０）に対して垂直な平面に沿って前記サブフィクスチャ（２４）の前記中間部分（５６）に沿った凹面形状を有する、
ガスタービンエンジン用のインピンジメント冷却システム。
【請求項２】
各サブチャネル（２２）は、前記初期インピンジメント面（１０）に沿って位置付けられかつ前記サブチャネル（２２）内へ延びる複数の球状のフィクスチャ（３６）をさらに有する、請求項１記載のインピンジメント冷却システム。
【請求項３】
少なくとも１つの突出した前記球状のフィクスチャ（３６）が、前記初期インピンジメント面（１０）に沿って位置付けられており、かつ各サブチャネル（２２）内で前記初期インピンジメント面（１０）の前記エッジ（３０）に沿って半径方向外側出口セクション（３８）内へ上方に延びている、請求項１または２記載のインピンジメント冷却システム。
【請求項４】
前記複数のフィクスチャ（１６）はそれぞれ、前記初期インピンジメント面（１０）に対して平行な平面に沿って、前記中央に配置された開口（１２）の前記エッジ（３２）からまずそれぞれの側で内方へ湾曲し、前記下流端部（２０）のさらに近くで再び拡大する形状を有する、請求項１から３までのいずれか１項記載のインピンジメント冷却システム。
【請求項５】
前記複数のフィクスチャ（１６）と前記初期インピンジメント面（１０）との間の接続は、各フィクスチャ（１６）の前記ベース部分（４４）に沿ってフィレット（６４）を有している、請求項１から４までのいずれか１項記載のインピンジメント冷却システム。
【発明の詳細な説明】
【技術分野】
【０００１】
本発明は、タービンエンジンに関し、より具体的には、ガスタービン用のインピンジメント冷却特徴に関する。
【背景技術】
【０００２】
工業用ガスタービンエンジンでは、高温圧縮ガスが発生する。高温ガス流は、タービンを通過し、膨張して、発電のための発電機を駆動するために使用される機械仕事を発生する。タービンは、一般的に、高温ガス流からのエネルギを、エンジンのロータ軸を駆動する機械的エネルギに変換するために、ステータベーンおよびロータブレードの複数の段を有している。タービン入口温度は、材料特性と、タービン部品の冷却能力とによって制限される。
【０００３】
燃焼システムは、圧縮機から空気を受け取り、空気を燃料に混合しかつ混合物を燃焼させることによって高エネルギレベルへ上昇させ、その後、燃焼器の生成物がタービンを通じて膨張する。
【０００４】
ガスタービンは、より大型に、より効率的に、そしてより頑丈になっている。大型のブレードおよびベーンは、特にエンジンシステムの高温セクションに製造されている。これらの高温セクションまたは高温通路セクションは、高温タービン流に曝されかつ高温になる構成部材を有している。ガスタービンの高温セクション内の部品を冷却するための１つの一般的なアプローチは、高温部品に対するより低温の空気のインピンジメントジェットを使用することである。ジェットが衝突する目標面は、平坦であり、図１および図２に示すように部品の低温側にある。現在、冷却ジェット質量流量が増大されているが、これは効率の増大につながらない。
【０００５】
ガスタービン効率が増大すると、燃焼温度を高めることができ、ひいては高温セクション部品の金属温度を上昇させまたは冷却流を減少させる。これは、高温セクション金属温度の上昇にもつながる。
【発明の概要】
【課題を解決するための手段】
【０００６】
本発明の１つの態様では、ガスタービンエンジン用のインピンジメント冷却システムは、中央に配置された開口を備える初期インピンジメント面と、開口から半径方向外方へ延び、かつ隣接する各チャネルをそれぞれが分離する複数のフィクスチャによって形成された複数のチャネルと、を備え、複数のフィクスチャはそれぞれ、中央に配置された開口のエッジに沿って配置された初期インピンジメント面に対して平行な平面における丸みを帯びた上流端部と、初期インピンジメント面のエッジに沿って配置された初期インピンジメント面に対して平行な平面における丸みを帯びた下流端部とを有し、複数のフィクスチャはそれぞれ、初期インピンジメント面に接続されたベース部分と、反対側におけるトップ部分との間の中間部分を有し、複数のフィクスチャはそれぞれ、初期インピンジメント面に対して垂直な平面に沿ってフィクスチャの中間部分に沿って凹面形状を有し、複数のチャネルは、サブフィクスチャの上流端部においてチャネルに形成されたよどみ点から各チャネルの入口の半径方向外方へ延びる複数のサブチャネルに分割されており、複数のサブフィクスチャはそれぞれ、丸みを帯びた上流端部と、初期インピンジメント面のエッジに沿って配置された略平坦な下流端部とを有し、複数のサブフィクスチャはそれぞれ、初期インピンジメント面に接続されたベース部分と、反対側におけるトップ部分との間の中間部分を有し、複数のサブフィクスチャはそれぞれ、初期インピンジメント面に対して垂直な平面に沿ってサブフィクスチャの中間部分に沿って凹面形状を有している。
【０００７】
インピンジメント冷却特徴の利点は、チャネルおよびサブチャネル内に流れを維持しながら、複数のよどみ点に向かって流れを案内して熱伝達を高めるためのチャネルおよびサブチャネルの形状を含む。
【０００８】
別の利点は、サブチャネルに沿ってインピンジメント面に沿った複数の球状のフィクスチャを有し、さらに、乱流およびシステムの冷却効率を高めることを含む。
【０００９】
本発明のこれらのおよびその他の特徴、態様および利点は、以下の図面、説明および請求項を参照することでさらによく理解されるであろう。
【００１０】
本発明は、図面の助けによりさらに詳細に示されている。図面は、好適な構成を示しており、本発明の範囲を限定しない。
【図面の簡単な説明】
【００１１】
【図１】従来技術の冷却ジェットおよびインピンジメント面の側面図である。
【図２】図１のインピンジメント面の平面図である。
【図３】本発明の典型的な実施の形態の側面図である。
【図４】図３のインピンジメント面の平面図である。
【図５】１つの典型的な実施の形態の冷却チャネルの詳細な斜視図である。
【図６】１つの典型的な実施の形態の冷却チャネルの別の詳細な斜視図である。
【図７】本発明の１つの典型的な実施の形態の冷却チャネルを通る流速流線を示している。
【図８】本発明の１つの典型的な実施の形態の冷却チャネルを通る熱伝達分布を示している。
【図９】本発明の１つの典型的な実施の形態の冷却チャネルを通る流速流線を示している。
【図１０】本発明の１つの典型的な実施の形態の冷却チャネルを通る熱伝達分布を示している。
【発明を実施するための形態】
【００１２】
好適な実施の形態の以下の詳細な説明では、その一部を形成する添付の図面が参照され、図面には、例として、限定としてではなく、本発明を実施可能な特定の実施の形態が示されている。本発明の思想および範囲から逸脱することなく、その他の実施の形態が使用されてもよく、変更がなされてもよいことが理解されるべきである。
【００１３】
広くは、本発明の１つの実施の形態は、ガスタービンエンジン用のインピンジメント冷却システムが、中央に配置された開口を備える初期インピンジメント面を有することを提供する。複数のチャネルおよび複数のサブチャネルが、開口から半径方向外方へ延びており、かつ隣接する各チャネルおよびサブチャネルをそれぞれが分離している複数のフィクスチャおよび複数のサブフィクスチャによって形成されている。複数のフィクスチャおよび複数のサブフィクスチャはそれぞれ、初期インピンジメント面に対して平行な平面に、丸みを帯びた上流端部を有している。複数のフィクスチャおよび複数のサブフィクスチャはそれぞれ、初期インピンジメント面に対して垂直な軸線に沿って、フィクスチャおよびサブフィクスチャの中間部分に沿って凹面形状を有している。複数のチャネルは、サブフィクスチャの上流端部においてチャネルに形成されたよどみ点から、各チャネルの入口の半径方向外方へ延びる、複数のサブチャネルに分割されている。
【００１４】
ガスタービンエンジンは、圧縮機セクションと、燃焼器と、タービンセクションとを備えていてもよい。圧縮機セクションは、周囲空気を圧縮する。燃焼器は、圧縮された空気を燃料と組み合わせ、混合物に点火し、作動流体を形成する高温ガスを含む燃焼生成物を生じる。作動流体はタービンセクションへ移動する。タービンセクションには、ベーンおよびブレードの周方向の交互の列が設けられており、ブレードはロータに結合されている。ベーンおよびブレードの列の各対は、タービンセクション内で段を形成している。タービンセクションは、ベーン、ブレードおよびロータを収容した、固定されたタービンケーシングを有する。
【００１５】
質量流量を増大させることなく部品を冷却するための流れの能力を高めることが望ましい。本発明の実施の形態は、損失の減少を可能にする、ガスタービン構成部材用のインピンジメント冷却特徴を提供する。タービンエンジンのリングセグメント、ブレード、ベーン、プラットフォームおよびその他の構成部材は、以下のインピンジメント冷却システムを介して冷却可能な面を有していてもよい。
【００１６】
ここで図３を参照すると、ガスタービンエンジンのタービンセクションの一部が示されている。構成部材４８が、高温タービン流Ｆの通路に沿って示されている。構成部材４８は、高温タービン流Ｆに曝され、構成部材４８の温度が上昇する。冷却ジェット４２が、高温タービン流の反対側の面４０に向けられている。この面は冷却を必要とする。冷却ジェット４２は、図示したように直径ｄを有している。よどみゾーン５０が、構成部材の輪郭づけられたインピンジメント面の中央に配置されている。次いで、排出された冷却ジェットは、壁部ジェットゾーン５２に沿って約９０度方向転換する。
【００１７】
インピンジメント冷却システムおよび輪郭づけられたインピンジメント面の１つの典型的な実施の形態の詳細が、平面図、すなわち冷却ジェット４２の方向で図４に示されている。詳細は、図５および図６に側面図で示されている。インピンジメント冷却システムは、初期インピンジメント面１０を有していてもよい。初期インピンジメント面１０は、中央に配置された開口１２を有している。中央に配置された開口１２は、中央に配置された開口１２の中心の周囲の円形経路に沿って延びていてもよい仮想エッジ３２を有している。中央に配置された開口１２のエッジ３２に沿って、複数のチャネル１４が設けられていてもよい。複数のチャネル１４は、開口１２から半径方向外方へ延びていてもよく、隣接する各チャネル１４をそれぞれが分離する複数のフィクスチャ１６によって形成されていてもよい。複数のフィクスチャ１６はそれぞれ、開口１２のエッジ３２に沿った上流端部１８と、初期インピンジメント面１０のエッジ３０に沿って配置された下流端部２０とを有している。各フィクスチャ１６の下流端部２０および上流端部１８は、図４に示したように、初期インピンジメント面１０に対して平行な平面において丸みを帯びていてもよい。複数のフィクスチャ１６はそれぞれ、初期インピンジメント面１０に対して垂直な軸線である鉛直方向軸線６２に沿って、フィクスチャ１６の中間部分５４に沿った凹面形状を有していてもよい。各フィクスチャ１６の中間部分５４は、ベース部分４４とトップ部分４６との間にある。ベース部分４４は初期インピンジメント面１０に接続されており、トップ部分４６は反対側にある。幾つかの実施の形態では、各フィクスチャ１６のベース部分４４およびトップ部分４６が、フィレット６４などの上側レッジおよび下側レッジまたは延長部分をフィクスチャ１６に提供するように広がっていてもよい。初期インピンジメント面１０のエッジ３０は、複数のフィクスチャ１６および複数のサブフィクスチャ２４のベース部分に沿った複数のフィレット６４のエッジに沿って延びていてもよい。初期インピンジメント面１０のエッジ３０は、インピンジメント冷却システムに端部を提供する。複数のフィクスチャのベース部分４４に沿ったフィレット６４付きの各端部のエッジに沿った箇所から形成された適切な円が、中央に配置された開口１２のエッジ３２を提供する。
【００１８】
幾つかの実施の形態では、各フィクスチャ１６の形状は、図４に示したように、初期インピンジメント面１０に対して平行な平面に沿って、まずそれぞれの側において内方へ湾曲し、拡大し、次いで、再び下流端部２０のさらに近くで狭まっていてもよい。各フィクスチャ１６および各サブフィクスチャ２４の形状により、流れは、複数のチャネル１４および複数のサブチャネル２２にできるだけ長くとどまり、構成部材４８の面４０を冷却する。
【００１９】
次いで、複数のチャネル１４は、複数のサブチャネル２２に分割されていてもよい。複数のサブチャネル２２は、サブフィクスチャ２４の上流端部２６においてチャネル１４に形成されたよどみ点３４から各チャネル１４の入口の半径方向外方へ延びていてもよい。複数のサブフィクスチャ２４が設けられていてもよい。各サブフィクスチャ２４は、上流端部２６および下流端部２８を有している。各サブフィクスチャの上流端部２６は、丸みを帯びていてもよい。各サブフィクスチャ２４の下流端部２８は、初期インピンジメント面１０のエッジ３０に沿って配置されていてもよい。複数のサブフィクスチャ２４はそれぞれ、各サブフィクスチャ２４の中間部分５６に沿って凹面形状を有していてもよい。凹面形状は、初期インピンジメント面１０に対して垂直な軸線に沿っていてもよい。各サブフィクスチャ２４の中間部分５６は、ベース部分５８とトップ部分６０との間にある。ベース部分５８は初期インピンジメント面１０に接続されており、トップ部分６０は反対側にある。幾つかの実施の形態では、各サブフィクスチャ２４のベース部分５８およびトップ部分６０は、サブフィクスチャ２４に上側レッジおよび下側レッジを提供するように広がっていてもよい。幾つかの実施の形態では、各サブフィクスチャ２４は、ほぼ三角形であってもよい。
【００２０】
幾つかの実施の形態では、複数の球状のフィクスチャ３６が、初期インピンジメント面１０に沿って各サブチャネル２２内に位置付けられ、各サブチャネル２２内へ延びていてもよい。少なくとも１つの突出した球状のフィクスチャ３６が、初期インピンジメント面１０に沿って位置付けられ、各サブチャネル２２内で初期インピンジメント面１０のエッジ３０に沿って半径方向外側出口セクション３８内へ上方に延びていてもよい。
【００２１】
少なくとも１つの実施の形態では、インピンジメント冷却システムは、８個のフィクスチャ１６および８個のサブフィクスチャ２４によって、図４に示したように８個のチャネル１４および１６個のサブチャネル２２を有していてもよいし、または任意の他の数のチャネル１４およびサブチャネル２２を有していてもよい。
【００２２】
開口１２は、冷却ジェット４２からの、空気などの、ただし空気に限定されない冷却流体のための第１の接触箇所である。冷却流体が、初期インピンジメント面１０に沿って開口１２と接触すると、次いで、流体は、約９０度方向転換する。冷却流は、次いで、平坦な中央に配置された開口１２の部分においてよどんだ後、輪郭づけられた面の複数のチャネル１４を通って駆動される。各フィクスチャ１６のトップ部分４６および各サブフィクスチャ２４のトップ部分６０は、複数のチャネル１４および複数のサブチャネル２２を通る冷却流を補助し、複数のチャネル１４および複数のサブチャネル２２を通る流れを維持する助けになる。複数のチャネル１４は、流れを案内し、構成部材４８の全面を冷却する複数のインピンジメント面を提供してもよい。冷却流体は、複数のチャネル１４を通って流れ、次いで、各サブフィクスチャ２４に沿って別のよどみ点３４に衝突する。冷却流は、少なくとも、各フィクスチャ１６の上流端部１８および各サブフィクスチャ２４のよどみ点３４に衝突する。さらに、幾つかの実施の形態では、複数の球状のフィクスチャ３６が、複数のサブチャネル２２内に別の衝突点をさらに提供して、流量をさらに減じかつ熱伝達を高めてもよい。複数の球状のフィクスチャ３６は、サブチャネル２２に沿って初期インピンジメント面１０に沿っていてもよく、さらに、各サブチャネル２２の出口セクション３８に沿っていてもよい。冷却流は、最後に、初期インピンジメント面１０のエッジ３０に沿って、半径方向外側出口セクション３８から出る。各チャネル１４の幾何形状が、冷却を生じさせるための全表面積を増大させる。熱伝達および熱伝達率が、複数のフィクスチャ１６、複数のサブフィクスチャ２４および複数の球状のフィクスチャ３６の付加によって増大してもよい。
【００２３】
この効果は、本発明の実施の形態による輪郭づけられたインピンジメント面を横切る全ての流れの流量および表面熱伝達係数を例示する図７〜図１０を参照して説明することができる。図面に見られるように、最も高い熱伝達は、中央に配置された開口１２における初期インピンジメントおよびよどみ点に生じている。図面は、冷却流が複数のチャネル１４および複数のサブチャネル２２を横切るときの速度および熱伝達変化を示している。半径方向外側出口セクション３８は、初期よどみ点に対する半径方向外側出口における流速および熱伝達の著しい低下を示している。図面は、各フィクスチャ１６の上流端部１８および各サブフィクスチャ２４の上流端部２６において、ならびに複数の球状のフィクスチャ３６との接触部において、熱伝達のスパイクが生じることを示している。複数のフィクスチャ１６および複数のサブフィクスチャ２４の形状は、幾つかの実施の形態における複数の球状のフィクスチャ３６と共に、複数のチャネル１４および複数のサブチャネル２２に沿って冷却流体が通過するための径路を提供する。提供された形状により、複数のチャネル１４および複数のサブチャネル２２を通じて、流れがより長く維持される。複数のフィクスチャ１６に沿ったトップ部分４６および表面に対して垂直な凹面形状が、流れを再び複数のチャネル１４内へ押し付け、これにより、複数のインピンジメント面に衝突し続ける。チャネルの形状が、できるだけ多くのインピンジメント面を提供する。チャネルの形状は、冷却目的のための合計表面積をさらに増大させる。
【００２４】
改良されたインピンジメント面の物理的輪郭およびラインは、従来の鋳造方法で製造することができない。本発明の実施の形態のために必要とされる詳細を許容する鋳造プロセスとして、スタックラミネーションを特定のモールディングプロセスと組み合わせる技術を使用することができる。選択的レーザ溶融（ＳＬＭ）は、製造法の別の例である。流れは、本発明の実施の形態において輪郭づけられた面によって形成されたチャネル１４内により長くとどまる。
【００２５】
特定の実施の形態について詳細に説明してきたが、全体的な開示内容を考慮して、これらの詳細に対する様々な変更および代用を開発することができることを当業者は認識するであろう。したがって、開示された特定の配列は、例示的でしかなく、添付の請求項およびそのあらゆる全ての均等物の全範囲が与えられるべき本発明の範囲に関して制限するものではないことが意味されている。
【図１】
2019529767.tif 000003
【図２】
2019529767.tif 000004
【図３】
2019529767.tif 000005
【図４】
2019529767.tif 000006
【図５】
2019529767.tif 000007
【図６】
2019529767.tif 000008
【図７】
2019529767.tif 000009
【図８】
2019529767.tif 000010
【図９】
2019529767.tif 000011
【図１０】
2019529767.tif 000012
【国際調査報告】
2019529767.tif 000013
2019529767.tif 000014